(57)【要約】【課題】通信が安定確保できない場合であっても運用を継続することができる撮影印刷装置を提供すること。【解決手段】正常時は、印刷有りコース選択操作アイコン１０と、印刷無しコース選択操作アイコン１２との両方をユーザ選択可能に表示する。後者のアイコンが選択された場合には、ユーザ端末からのダウンロード要求に応じて画像データを提供することができるサーバシステムへ撮影画像データを送信する。もし、通信が不通状態又は不調状態の場合には印刷無しコース選択操作アイコン１２を表示させない或いは選択できないようにして、印刷有りコース選択操作アイコン１０のみ選択可能な状態或いは印刷有りコース選択操作アイコン１０を自動的に選択したとみなして、撮影印刷装置の運用を継続する。【選択図】図４
2015142298.tif 000002
【特許請求の範囲】
【請求項１】
ユーザを撮影するための撮影手段と、
前記撮影手段により撮影された撮影画像又は撮影画像を編集した編集画像（以下包括して「撮影画像」という）を所定の被印刷媒体に印刷して出力する印刷手段と、
前記印刷手段による印刷有無に係る前記ユーザの選択操作入力を受け付ける印刷選択受付手段と、
前記印刷選択受付手段によって印刷無しに係る選択操作が受け付けられた場合には前記印刷手段による印刷は実行せず、印刷有りに係る選択操作が受け付けられた場合に印刷を実行させる印刷制御手段と、
ユーザ端末からのダウンロード要求に応じて画像データを当該ユーザ端末にダウンロード可能に構成されたサーバシステムと通信するための通信手段と、
前記通信手段を介して前記撮影画像のデータを前記サーバシステムに送信する制御を行う送信制御手段と、
前記サーバシステムとの通信が不通状態又は不調状態の場合に、前記印刷選択受付手段による印刷無しに係る選択操作の受け付けを抑止する通信不通時制御手段と、
を備えた撮影印刷装置。
【請求項２】
前記ダウンロード要求に必要なアクセス情報を取得するアクセス情報取得手段と、
前記印刷選択受付手段によって印刷無しに係る選択操作が受け付けられた場合に、前記取得手段によって取得されたアクセス情報を表示部に表示させるアクセス情報表示制御手段と、
を更に備えた請求項１に記載の撮影印刷装置。
【請求項３】
前記ユーザ端末は、前記サーバシステムと所定通信を行って当該ユーザ端末のユーザに関連づけられた画像データをダウンロードするためのアプリケーションと、各ユーザ端末毎にユニークに設定されるアプリケーションＩＤ（以下「アプリＩＤ」という）であって所定の通知システムからの通知アドレスに利用されるＩＤとを記憶する記憶手段を備え、
前記サーバシステムは、前記撮影印刷装置から受信した前記アプリＩＤおよび前記アクセス情報に基づき、当該アプリＩＤ宛へ当該アクセス情報の通知を依頼する手段を備え、
前記アプリＩＤの入力を受け付けるアプリＩＤ受付手段を更に備え、
前記送信制御手段は、前記アプリＩＤ受付手段により前記アプリＩＤの入力が受け付けられた場合に、前記撮影画像のデータとともに当該アプリＩＤを前記サーバシステムに送信する、
請求項２に記載の撮影印刷装置。
【請求項４】
前記アクセス情報表示制御手段は、前記印刷選択受付手段によって印刷無しに係る選択操作が受け付けられた場合であっても、前記アプリＩＤ受付手段により前記アプリＩＤの入力が受け付けられたときには前記アクセス情報を前記表示部へ表示させず、前記アプリＩＤの入力が受け付けられなかったときに前記アクセス情報を前記表示部に表示させる、
請求項３に記載の撮影印刷装置。
【請求項５】
前記アクセス情報を前記ユーザに宛てて伝送するための伝送先情報の入力を受け付ける伝送先情報受付手段と、
前記伝送先情報に宛てて前記アクセス情報を伝送するための制御を行う伝送制御手段と、
を更に備えた請求項３又は４に記載の撮影印刷装置。
【請求項６】
前記伝送先情報受付手段は、前記アプリＩＤ受付手段により前記アプリＩＤの入力が受け付けられなかった場合に前記伝送先情報の入力を受け付ける、
請求項５に記載の撮影印刷装置。
【請求項７】
前記アプリＩＤ受付手段は、最大Ｎ個（Ｎ≧２）のアプリＩＤの入力が受け付け可能であり、
前記アプリＩＤ受付手段により受け付けられた前記アプリＩＤの数が２個以上の場合には、前記伝送先情報受付手段による受け付けを抑止する伝送先情報受付抑止手段を更に備えた、
請求項５又は６に記載の撮影印刷装置。
【請求項８】
前記印刷制御手段は、印刷を実行する際に、前記撮影画像とともに前記アクセス情報を前記被印刷媒体に印刷させる、
請求項１〜７の何れか一項に記載の撮影印刷装置。
【請求項９】
前記印刷手段の印刷が支障状態の場合に、前記印刷選択受付手段による印刷有りに係る選択操作の受け付けを抑止し、印刷無しに係る選択操作がなされたとみなして処理する印刷支障時制御手段、
を更に備えた請求項１〜８の何れか一項に記載の撮影印刷装置。
【請求項１０】
前記撮影印刷装置のサービス対価とするコインの枚数として、前記印刷手段による印刷をしない場合には第１の枚数が設定され、印刷する場合には前記第１の枚数より多い第２の枚数が設定されており、
前記ユーザが１枚ずつ前記コインを投入するためのコイン投入手段と、
前記コイン投入手段に前記第１の枚数を超える前記コインが投入された場合に、前記印刷手段による印刷有りに係る選択操作がなされたとみなして処理する手段と、
を更に備えた請求項１〜９の何れか一項に記載の撮影印刷装置。
【発明の詳細な説明】
【技術分野】
【０００１】
本発明は、人物撮影機能と撮影画像の印刷機能とを一体に備えた撮影印刷装置に関する。
【背景技術】
【０００２】
デジタル簡易フォトブースとも言える、人物撮影機能と撮影画像の印刷機能とを一体に備えた撮影印刷装置が知られている。例えば、「写真シール作成装置」などと呼ばれる装置がこれに含まれる。
撮影印刷装置は、ゲームセンターや大型量販店などに設置されており、友人や家族とともに手軽に写真を撮影し、撮影画像やその編集画像（以下包括して「撮影画像」と言う）を印刷したシールなどをその場で入手できるので人気である。
【０００３】
近年では、通信回線に接続する機能を更に備え、撮影画像のデータを外部サーバに送信し、ユーザがパソコンやスマートフォンでその画像を入手可能にする技術（例えば、特許文献１参照）や、電子メールなどでユーザが指定したアドレスに撮影画像のデータを配信する技術（例えば、特許文献２参照）も提案されている。
【先行技術文献】
【特許文献】
【０００４】
【特許文献１】特開２００１−２４５２９０号公報
【特許文献２】特開２００３−３３３５７３号公報
【発明の概要】
【発明が解決しようとする課題】
【０００５】
しかし、通信が常に安定的に確保できるとは限らない。例えば、通信装置自体の不調はもちろん、通信帯域の混雑や、無線通信であれば太陽風などの影響による通信障害（通信経路上の不調）なども生じ得る。そして、通信が安定確保できなくなると、上記のような通信利用タイプの撮影印刷装置では画像データの提供の品質を確保できなくなるので運用を中止せざるを得なかった。
【０００６】
本発明は、こうした背景を鑑みてなされたものであり、通信が不通状態や不調状態となって安定確保できない場合であっても運用を継続することができる撮影印刷装置を提供することを目的とする。
【課題を解決するための手段】
【０００７】
上述した課題を解決するための第１の発明は、ユーザを撮影するための撮影手段（例えば、図２のカメラ部１３０８）と、
前記撮影手段により撮影された撮影画像又は撮影画像を編集した編集画像（以下包括して「撮影画像」という）を所定の被印刷媒体に印刷して出力する印刷手段（例えば、図２の印刷装置１３６０）と、
前記印刷手段による印刷有無に係る前記ユーザの選択操作入力を受け付ける印刷選択受付手段（例えば、図２のタッチパネル１３０６）と、
前記印刷選択受付手段によって印刷無しに係る選択操作が受け付けられた場合には前記印刷手段による印刷は実行せず、印刷有りに係る選択操作が受け付けられた場合に印刷を実行させる印刷制御手段（例えば、図２の制御基板１３５０、図１０の処理部２００、印刷制御部２２２、図１４のステップＳ４０〜Ｓ５６、図１６のステップＳ１５０〜Ｓ１６２）と、
ユーザ端末からのダウンロード要求に応じて画像データを当該ユーザ端末にダウンロード可能に構成されたサーバシステムと通信するための通信手段（例えば、図２の通信モジュール１３５３）と、
前記通信手段を介して前記撮影画像のデータを前記サーバシステムに送信する制御を行う送信制御手段（例えば、図２の制御基板１３５０、図１０の処理部２００、通信制御部２７４、図１６のステップＳ１６４）と、
前記サーバシステムとの通信が不通状態又は不調状態の場合に、前記印刷選択受付手段による印刷無しに係る選択操作の受け付けを抑止する通信不通時制御手段（例えば、図２の制御基板１３５０、図１０の処理部２００、通信不通時制御部２１２、図１７のステップＳ１８〜Ｓ２０）と、
を備えた撮影印刷装置である。
【０００８】
第１の発明によれば、正常時は撮影画像のその場での印刷有り／印刷無し、すなわち印刷を希望する／希望しない、をユーザが自由に選択できる。そして、印刷無しに該当する選択がなされた場合には、ユーザ端末からのダウンロード要求に応じて画像データを提供することができるサーバシステムへ、撮影画像データを送信することができる。それでいて、通信が不通状態又は不調状態の場合には印刷無しに該当する選択の受け付けを抑止することができる。抑止の仕方は適宜可能であるが、例えば印刷無しに該当する選択肢をそもそも選択できないようにしてもよいし、選択操作はできるが印刷無しに該当する選択をしても、選択ミスであること（選択できないこと）をユーザに報知して再選択を促すとしてもよい。また、自動的に印刷有りに係る選択がなされたとみなすこととしてもよい。よって、印刷有りに係る選択のみが可能な状態、或いは、印刷有りに係る選択をした状態とみなして撮影印刷装置の運用を継続することができる。
【０００９】
サーバシステムから撮影画像データをダウロードする際の誤提供を防止するために、認証キーを用意してユーザに提供する構成を適宜追加することができる。
例えば、第２の発明として、前記ダウンロード要求に必要なアクセス情報を取得するアクセス情報取得手段（例えば、図１０の処理部２００、アクセス情報取得部２１４、図１５のステップＳ８６）と、前記印刷選択受付手段によって印刷無しに係る選択操作が受け付けられた場合に、前記取得手段によって取得されたアクセス情報を表示部に表示させるアクセス情報表示制御手段（例えば、図２の制御基板１３５０、図１０の処理部２００、アクセス情報表示制御部２１６、図１５のステップＳ９４）とを更に備えた第１の発明の撮影印刷装置を構成することができる。
【００１０】
第３の発明は、前記ユーザ端末が、前記サーバシステムと所定通信を行って当該ユーザ端末のユーザに関連づけられた画像データをダウンロードするためのアプリケーションと、各ユーザ端末毎にユニークに設定されるアプリケーションＩＤ（以下「アプリＩＤ」という）であって所定の通知システムからの通知アドレスに利用されるＩＤとを記憶する記憶手段（例えば、図３のＩＣメモリ１５５２、図１１の端末記憶部５００ｔ）を備え、
前記サーバシステムは、前記撮影印刷装置から受信した前記アプリＩＤおよび前記アクセス情報に基づき、当該アプリＩＤ宛へ当該アクセス情報の通知を依頼する手段（例えば，図１の制御基板１１５０、図１２の通知依頼制御部２５６）を備え、
前記アプリＩＤの入力を受け付けるアプリＩＤ受付手段（例えば、図２のカメラ部１３０８、制御基板１３５０、図１０の撮影部１０２、処理部２００、アプリＩＤ受付制御部２０２、図１４のステップＳ６０〜Ｓ７２）を更に備え、
前記送信制御手段は、前記アプリＩＤ受付手段により前記アプリＩＤの入力が受け付けられた場合に、前記撮影画像のデータとともに当該アプリＩＤを前記サーバシステムに送信する、第２の発明の撮影印刷装置である。
【００１１】
第３の発明によれば、撮影にのぞんだユーザのユーザ端末へのアクセス情報の通知を、アプリＩＤを用いて実現することができる。よって、アクセス情報の提供に係る利便性を向上する新たな仕組みを実現できる。
【００１２】
これに伴い、更に第４の発明として、前記アクセス情報表示制御手段が、前記印刷選択受付手段によって印刷無しに係る選択操作が受け付けられた場合であっても、前記アプリＩＤ受付手段により前記アプリＩＤの入力が受け付けられたときには前記アクセス情報を前記表示部へ表示させず、前記アプリＩＤの入力が受け付けられなかったときに前記アクセス情報を前記表示部に表示させる、第３の発明の撮影印刷装置を構成することができる。
【００１３】
第５の発明は、前記アクセス情報を前記ユーザに宛てて伝送するための伝送先情報の入力を受け付ける伝送先情報受付手段（例えば、図２のタッチパネル１３０６、制御基板１３５０、図１０の操作入力部１００、処理部２００、伝送先情報受付制御部２０４、図１５のステップＳ８４）と、前記伝送先情報に宛てて前記アクセス情報を伝送するための制御を行う伝送制御手段（例えば、図２の制御基板１３５０、図１０の処理部２００、伝送制御部２２０、図１８のステップＳ２０８）と、を更に備えた第３又は第４の発明の撮影印刷装置である。
【００１４】
また、第６の発明は、前記伝送先情報受付手段が、前記アプリＩＤ受付手段により前記アプリＩＤの入力が受け付けられなかった場合に前記伝送先情報の入力を受け付ける、第５の発明の撮影印刷装置である。
【００１５】
第５又は第６の発明によれば、アプリＩＤを用いた通知とは別のルートでもアクセス情報を提供できるようになる。よって、ユーザ端末を所持していないユーザや、ユーザ端末を所持していてもアプリケーションプログラムをダウンロードしていない端末のケースなどにも対応することができる。
【００１６】
第７の発明は、前記アプリＩＤ受付手段が、最大Ｎ個（Ｎ≧２）のアプリＩＤの入力が受け付け可能であり、前記アプリＩＤ受付手段により受け付けられた前記アプリＩＤの数が２個以上の場合には、前記伝送先情報受付手段による受け付けを抑止する伝送先情報受付抑止手段（例えば、図１０の伝送先情報受付抑止部２０６、図１５のステップＳ８２）を更に備えた、第５又は第６の発明の撮影印刷装置である。
【００１７】
第７の発明によれば、アプリＩＤが受け付けられた場合でも、その数が２個未満の場合にはバックアップとして伝送先情報を受け付ける一方で、２個以上の場合には受け付けを抑止して操作を簡略化することができる。
【００１８】
第８の発明は、前記印刷制御手段が、印刷を実行する際に、前記撮影画像とともに前記アクセス情報を前記被印刷媒体に印刷させる、第１〜第７の何れかの発明の撮影印刷装置である。
【００１９】
第８の発明によれば、アクセス情報を確実にユーザに提供できる。
【００２０】
第９の発明は、前記印刷手段の印刷が支障状態の場合に、前記印刷選択受付手段による印刷有りに係る選択操作の受け付けを抑止し、印刷無しに係る選択操作がなされたとみなして処理する印刷支障時制御手段（例えば、図２の制御基板１３５０、図１０の処理部２００、印刷支障時制御部２０９、図１７のステップＳ１４〜Ｓ１６）を更に備えた第１〜第８の何れかの発明の撮影印刷装置である。
【００２１】
第９の発明によれば、通信が正常に機能する状況であれば、印刷できない状況にあっても撮影印刷装置の運用を継続することが可能となる。
【００２２】
第１０の発明は、前記撮影印刷装置のサービス対価とするコインの枚数として、前記印刷手段による印刷をしない場合には第１の枚数が設定され、印刷する場合には前記第１の枚数より多い第２の枚数が設定されており、前記ユーザが１枚ずつ前記コインを投入するためのコイン投入手段（例えば、図２のコイン投入装置１３０２）と、前記コイン投入手段に前記第１の枚数を超える前記コインが投入された場合に、前記印刷手段による印刷有りに係る選択操作がなされたとみなして処理する手段（例えば、図２の制御基板１３５０、図１０の処理部２００、看做し印刷希望受付部２１０、図１４のステップＳ５２〜Ｓ５４）と、を更に備えた第１〜第９の何れかの発明の撮影印刷装置である。
【００２３】
第１１の発明によれば、操作の利便性が向上する。
【図面の簡単な説明】
【００２４】
【図１】撮影画像提供システムの構成の一例を示す図。
【図２】撮影印刷装置の構成例を示す概略図。
【図３】ユーザ端末の構成例を示す正面外観図。
【図４】印刷コースの選択画面の表示例を示す図。
【図５】第１のアドレス受付方法を説明するための図。
【図６】第２のアドレス受付方法を説明するための図。
【図７】アクセス情報の提示画面例を示す図。
【図８】アクセス情報を被印刷媒体に印字して提示する例を示す図。
【図９】ユーザが指定した通知アドレスを用いてユーザ端末で撮影画像を取得する仕組みについて説明する図。
【図１０】撮影印刷装置の機能構成例を示す機能ブロック図。
【図１１】ユーザ端末の機能構成例を示す機能ブロック図。
【図１２】サーバシステムの機能構成例を示す機能ブロック図。
【図１３】撮影画像データセットのデータ構成例を示す図。
【図１４】撮影印刷装置における１回の撮影と印刷に係る処理の流れについて説明するためのフローチャート。
【図１５】図１４より続くフローチャート。
【図１６】図１５より続くフローチャート。
【図１７】コース選択表示処理の流れを説明するためのフローチャート。
【図１８】撮影画像データ送信処理の流れを説明するためのフローチャート。
【図１９】ユーザ端末における撮影補助処理の流れを説明するためのフローチャート。
【図２０】サーバシステムにおける撮影動作管理処理の流れを説明するためのフローチャート。
【発明を実施するための形態】
【００２５】
〔第１実施形態〕
図１は、本実施形態における撮影画像提供システムの構成の一例を示す図である。本実施形態の撮影画像提供システムは、それぞれ通信回線９に接続することのできる、撮影印刷装置１３００と、当該撮影印刷装置１３００から撮影画像等のデータを受信して配信可能に記憶・管理するサーバシステム１１００と、ユーザが所有するユーザ端末１５００と、指定されたユーザ端末１５００へプッシュ型の通知（プッシュ通知）を実行する公知の通知システムサーバ１６００とを含む。
なお、通信回線９は、データ通信が可能な通信路を意味する。すなわち、通信回線９とは、直接接続のための専用線（専用ケーブル）やイーサネット（登録商標）等によるＬＡＮ（Local Area Network）の他、電話通信網やケーブル網、インターネット等の通信網を含む意味であり、また、通信方法については有線／無線を問わない。
【００２６】
サーバシステム１１００は、単数又は複数のサーバ装置や記憶装置等を含んで構成されたコンピュータシステムである。例えば、本体装置１１０１と、キーボード１１０６と、タッチパネル１１０８と、ストレージ１１４０とを備える。本体装置１１０１には、制御基板１１５０が搭載されている。制御基板１１５０には、ＣＰＵ（Central Processing Unit）１１５１やＧＰＵ（Graphics Processing Unit）、ＤＳＰ（Digital Signal Processor）などの各種マイクロプロセッサ、ＡＳＩＣ（Application Specific Integrated Circuit）、ＶＲＡＭやＲＡＭ，ＲＯＭ等の各種ＩＣメモリ１１５２、通信装置１１５３が搭載されている。
【００２７】
図示の例では、サーバシステム１１００を単体として記しているが、サーバシステム１１００には複数のブレードサーバを搭載し、アカウント管理機能及びゲーム管理機能を分担して担い、相互に内部バスを介してデータ通信可能に接続された構成であっても良い。或いは、離れた場所に設置された独立した複数のサーバを、通信回線９を介してデータ通信させることで、全体としてサーバシステム１１００として機能させる構成であっても良い。
【００２８】
そして、サーバシステム１１００は、ウェブサイトを公開するウェブサーバとしての機能と、当該ウェブサイトを通じて所定の会員登録手続きを済ませたユーザに固有のアカウントを発給し各種登録情報とともに情報管理する機能と、当該ウェブサイトを通じて撮影印刷装置１３００から受信した撮影画像のデータを配信する機能と、を実現する。
【００２９】
図２は、本実施形態における撮影印刷装置１３００の構成例を示す概略図であって、装置を横から見た図に相当する。
撮影印刷装置１３００は、主筐体１３０１と、コイン投入装置１３０２と、照明装置１３０４と、カメラ部１３０８と、タッチパネル１３０６と、制御基板１３５０と、印刷装置１３６０と、ＩＣカード読取装置１３６２と、カメラ部１３０８の正面に設定された単色背景部１３６４とを備える。勿論、図示されない電源部等のその他の構成要素を適宜含むものとする。
【００３０】
コイン投入装置１３０２は、対価としてのコイン４を１枚ずつ投入することのできる公知の装置である。投入されたコインを検出する毎に所定の検出信号を制御基板１３５０へ出力することができる。また、制御基板１３５０からの返金指示信号を受信して、撮影開始前に投入されたコイン４を返金処理することができる。
【００３１】
カメラ部１３０８は、ユーザ２を撮影する公知の撮影手段であって、例えば、レンズやフィルターなどの光学系部品と、イメージセンサーと、当該センサーで撮影した画像の画像データを生成・出力する画像処理ＩＣとを有する。カメラ部１３０８は、撮影した画像データを制御基板１３５０へ出力することができる。
【００３２】
タッチパネル１３０６は、ユーザ２へ各種操作案内画面を表示する画像表示と、タッチ操作による各種操作入力を受け付ける操作受付とを兼ねる公知の装置である。制御基板１３５０から受信した画像信号に基づいて各種画面を表示し、タッチ操作を検出するとタッチ位置座標データを制御基板１３５０へ出力することができる。
【００３３】
制御基板１３５０は、ＣＰＵ１３５１やＧＰＵ，ＤＳＰなどの各種マイクロプロセッサと、ＩＣメモリ１３５２と、通信回線９に接続するための通信モジュール１３５３と、タッチパネル１３０６のドライバ回路１３５４と、カメラ部１３０８やＩＣカード読取装置１３６２、印刷装置１３６０などへの信号入出力を制御するインターフェースＩＣ１３５５と、が搭載されている。勿論、これら以外の電子電気要素も適宜搭載することができる。そして、これら制御基板１３５０に搭載されている各要素は、それぞれバス回路などを介して電気的に接続され、データの読み書きや信号の送受信が可能に接続されている。そして、制御基板１３５０は、ＩＣメモリ１３５２に記憶されているプログラムに従って演算処理することにより撮影印刷装置１３００を統合的に制御する。なお、制御基板１３５０の一部または全部をＡＳＩＣにて実現するとしてもよい。
【００３４】
印刷装置１３６０は、カメラ部１３０８により撮影された画像に基づいて制御基板１３５０にて印刷用に画像処理された撮影画像（撮影されたオリジナルの画像そのまま、撮影された画像をコラージュや画像処理した編集画像などを含む）を所定の被印刷媒体８に印刷して出力することができる。公知のプリンター装置により実現できる。
【００３５】
ＩＣカード読取装置１３６２は、ユーザ２が所持するＩＣカード６に対応する非接触式のリーダライター装置である。ＩＣカード６から読み出したデータを制御基板１３５０へ出力し、逆に制御基板１３５０からの書き込み指示信号に基づいてデータを書き込むことができる。
【００３６】
単色背景部１３６４は、均質な単色の布または板である。単色背景部１３６４は、画像処理によってカメラ部１３０８により撮影された画像から背景を識別してユーザ２の像を切り取る処理（クロマキー処理）に利用される。
【００３７】
図３は、ユーザ端末１５００の構成例を示す正面外観図である。
ユーザ端末１５００は、通信回線９に接続してサーバシステム１１００等の外部装置にアクセスすることができるコンピュータであり電子装置（電子機器）である。本実施形態のユーザ端末１５００はいわゆるスマートフォンとして分類される装置であるが、携帯型ゲーム装置、ノートパソコン、タブレット型コンピュータ、ウェアラブルコンピュータなどに分類される装置でもよい。
【００３８】
本実施形態におけるユーザ端末１５００は、方向入力キー１５０２と、ボタンスイッチ１５０４と、画像表示デバイス兼接触位置入力デバイスとして機能するタッチパネル１５０６と、当該タッチパネル１５０６の表示面側を撮影するカメラ部１５０８と、内蔵バッテリー１５０９と、スピーカ１５１０と、マイク１５１２と、制御基板１５５０と、コンピュータ読み出し可能な記憶媒体であるメモリカード１５４０からデータを読み書きできるメモリカード読取装置１５４２と、を備える。その他、図示されていない電源ボタン、音量調節ボタン等が設けられている。
【００３９】
制御基板１５５０は、ＣＰＵ１５５１やＧＰＵ，ＤＳＰなどの各種マイクロプロセッサと、ＡＳＩＣ，ＶＲＡＭ，ＲＡＭ，ＲＯＭ等の各種ＩＣメモリ１５５２と、通信回線９に接続する携帯電話基地局や無線ＬＡＮ基地局などと無線通信するための無線通信モジュール１５５３とが搭載されている。
【００４０】
その他、タッチパネル１５０６のドライバ回路、方向入力キー１５０２及びボタンスイッチ１５０４からの信号を受信する回路、スピーカ１５１０へ音声信号を出力する出力アンプ回路、マイク１５１２で集音した音声の信号を生成する入力信号生成回路、メモリカード読取装置１５４２への信号入出力回路といった所謂インターフェース回路１５５７等が搭載されている。これら制御基板１５５０に搭載されている各要素は、それぞれバス回路などを介して電気的に接続され、データの読み書きや信号の送受信が可能に接続されている。
【００４１】
そして、制御基板１５５０は、アプリケーションプログラム（以下「アプリ」と呼ぶ）を外部装置からダウンロードさせてＩＣメモリ１５５２に記憶させ、所定の実行操作入力に応じてこれを読み出して演算処理を実行することができる。
【００４２】
〔システムチェックの結果に応じた印刷有無選択の説明〕
さて、本実施形態の撮影印刷装置１３００は、撮影画像をその場で印刷装置１３６０により印刷して提供することもできるし、サーバシステム１１００を介して画像データとして提供することもできる。ユーザ２は、その場で印刷を伴う「印刷有りコース」と、印刷を伴わずに画像データの提供のみが行われる「印刷無しコース」との何れかを選ぶことができる。料金は、前者より後者が安価に設定されており、ユーザ２は撮影開始前に何れかのコース、すなわち印刷の有無を選択して対応する料金分のコイン４をコイン投入装置１３０２に投入する必要がある。
【００４３】
図４は、印刷コースの選択画面の表示例を示す図である。
本実施形態の撮影印刷装置１３００は、周期的にシステムチェックを行い、所定の通信安定条件を満たしていない場合、すなわち不通状態又は不調状態に該当するか否かを判定する。具体的には、印刷装置１３６０や通信モジュール１３５３等のハードウェア障害の有無と、通信状況の確認とを行うことができる。前者のハードウェア障害の有無については、適宜公知技術を応用して実現できる。後者の通信状況の確認については、例えばサーバシステム１１００とダミーデータの通信を行い、通信速度やエラー検出の回数などを計測することで実現できる。
【００４４】
図４（１）に示すように、システムチェックの結果、印刷装置１３６０が正常、且つ、通信も正常の場合（通信モジュール１３５３が正常、サーバシステム１１００と所定の安定条件を満たす品質の通信が可能の場合）には、第１の選択画面例Ｗ２に示すように、印刷有りコース選択操作アイコン１０と、印刷無しコース選択操作アイコン１２との両方を表示させ、ユーザ２がいずれも選択することができるようにする。ユーザ２が、対応するアイコンをタッチ操作してから、各アイコンに表示されている料金分のコイン４をコイン投入装置１３０２に投入すると、印刷有無の設定が完了して撮影が開始される。
【００４５】
図４（２）に示すように、システムチェックの結果、印刷装置１３６０は正常だが、通信が不通状態又は不調状態に該当する場合（通信モジュール１３５３が故障、サーバシステム１１００との通信が不通または安定条件を満たす品質の通信が困難の場合）には、第２の選択画面例Ｗ４に示すように、印刷有りコース選択操作アイコン１０はユーザ選択可能に表示するが、印刷無しコース選択操作アイコン１２は非表示または選択不能とする。選択不能とする場合には、印刷無しコース選択操作アイコン１２は表示するが、ユーザが仮に選択してもこれを受け付せず、再選択を促す表示をするなどによって実現できる。いずれにせよ、サーバシステム１１００を介した撮影画像の提供は困難であるが印刷は可能であることをユーザ２に提示した上で利用を受け付けることとし、これをもって通信回線が不通状態又は不調状態であっても撮影印刷装置１３００の運用を継続可能としている。なお、印刷有りコース選択操作アイコン１０の選択操作入力も不要として、自動的に、印刷有りコース選択操作アイコン１０が選択操作されたとみなして以降の処理を実行するとしてもよい。
【００４６】
また、図４（３）に示すように、システムチェックの結果、印刷装置１３６０の故障などにより印刷不能な状態だが通信は正常の場合には、第３の選択画面例Ｗ６に示すように、印刷有りコース選択操作アイコン１０は非表示または選択不能とし、印刷無しコース選択操作アイコン１２はユーザ選択可能に表示する。印刷不能であるがサーバシステム１１００を介した撮影画像の提供は可能であることをユーザ２に提示した上で利用を受け付けることとし、これをもって印刷不能な状態であっても撮影印刷装置１３００の運用を継続可能としている。なお、印刷無しコース選択操作アイコン１２の選択操作入力も不要として、自動的に、印刷無しコース選択操作アイコン１２が選択操作されたとみなして以降の処理を実行するとしてもよい。
【００４７】
〔通知アドレスの受け付けの説明〕
さて、撮影画像データを提供するに当たっては、撮影画像データを撮影された本人（ユーザ２）のみが入手できるようにする必要がある。そこで本実施形態では、サーバシステム１１００が記憶する撮影画像データにアクセスするための情報（アクセス情報）を、撮影印刷装置１３００においてユーザ自らが指定したアドレスへ通知する仕組みを構築する。撮影印刷装置１３００では、その通知先のアドレス（通知アドレス）を取得するために、第１の通知アドレス受付方法と第２の通知アドレス受付方法とをサポートする。
【００４８】
図５は、第１の通知アドレス受付方法を説明するための図である。
第１の通知アドレス受付方法は、ユーザ端末１５００を用いる方法である。
具体的には、図５（１）に示すように、撮影印刷装置１３００は、タッチパネル１３０６に第１の通知アドレス提供手順案内画面Ｗ１０を表示させる。当該画面には、予めユーザ端末１５００にインストールされている所定の撮影補助アプリを実行させて、通知アドレスを含む２次元コード１４をタッチパネル１５０６に表示させ、当該２次元コード１４を撮影印刷装置１３００のカメラ部１３０８の前にかざすように促す案内が表示される。撮影印刷装置１３００は２次元コード１４を撮影して読み取り、デコードして通知アドレスを取得する。
【００４９】
２次元コードに含まれる「通知アドレス」は、少なくとも撮影補助アプリがアプリ配信サーバからダウンロードされる際に自動付与される固有のアプリＩＤ（アプリケーションＩＤ）を含むものとする。勿論、それ以外も適宜含めることができる。例えば、本実施形態では撮影補助アプリを初回起動した際に、自動的にサーバシステム１１００の所定ウェブページにアクセスしてユーザ登録をするように構成されている。このユーザ登録に伴って、設定あるいは付与されたユーザアカウント及びユーザに係る必須個人情報として登録する電子メールアドレスがユーザ端末１５００に記憶されるので、これらの情報も適宜含めることができる。
【００５０】
撮影印刷装置１３００は、第１の通知アドレス提供手順案内画面Ｗ１０を表示している状態においてカメラ部１３０８でユーザ端末１５００が表示する２次元コード１４を撮影して読み取り完了すると、図５（２）に示すように、受付完了画面Ｗ１１を表示する。受付完了画面Ｗ１１には、受け付けた２次元コード１４を表示するとしてもよいが、本実施形態では、ユーザ端末１５００に撮影補助アプリの実行終了を指示する終了指示コード１６を表示することとする。
【００５１】
受付完了画面Ｗ１１の表示から一定時間経過後に、撮影印刷装置１３００は、図５（３）に示すように、第２の通知アドレス提供手順案内画面Ｗ１２を表示する。第２の通知アドレス提供手順案内画面Ｗ１２は、つづけて別のユーザに関して、第１の通知アドレス受付提供手順案内画面Ｗ１０と同様の案内をする画面となっている。以降、図５（２）の受付完了画面Ｗ１１の表示と、図５（３）の第２の通知アドレス提供手順案内画面Ｗ１２の表示とを繰り返して複数のアドレスを受け付ける。また、ユーザは、第２の通知アドレス提供手順案内画面Ｗ１２において、終了ボタンの選択操作によって、受け付けを終了することができる。
【００５２】
一方、ユーザ端末１５００で実行されている撮影補助アプリは、自機のカメラ部１５０８で終了指示コード１６が撮影されるとアプリの終了指示操作を検出したと判断して当該アプリケーションプログラムを自動で終了させる。
【００５３】
図６は、第２の通知アドレス受付方法について説明するための図である。
第２の通知アドレス受付方法は、第１の通知アドレス受付方法の補助・補間としての役割を担っている。ユーザ２がユーザ端末１５００を所持していない場合や、所持していても撮影補助アプリをインストールしていない場合でも通知アドレスを確保するために実行される。具体的には、第１のアドレス受付方法で得られたアドレスの数が「２」未満である場合に、第１のアドレス受付方法に続いて実行される。
【００５４】
具体的には、撮影印刷装置１３００は、タッチパネル１３０６に第３の通知アドレス提供手順案内画面Ｗ１６を表示させる。当該案内画面には、ソフトウェアキーボード２０が表示されるとともに、通知アドレスとしての電子メールアドレスの入力を促すテキストが表示される。
【００５５】
所定の入力確定操作アイコン２２へのタッチ操作を検出すると、撮影印刷装置１３００はユーザ２がユーザ端末１５００を所持していない場合に備えて、図７に示すように、アクセス情報提示画面Ｗ１８にてその場でアクセス情報３０をユーザ２に提示するとともに、これを記憶するように促すテキストを表示する。印刷装置１３６０にて当該画面を印刷するとしてもよい。
【００５６】
ちなみに、本実施形態では、ユーザがアクセス情報提示画面Ｗ１８により提示されたアクセス情報を、記憶・メモ・撮影するなどして記録することを怠った場合にすら備えて、図８に示すように、被印刷媒体８（プリント用紙やシール紙）にアクセス情報３０を印字し、更にサーバシステム１１００が提供するウェブサイトのＵＲＬ３２も印字することとする。
【００５７】
なお、通知アドレスの受付方法は、これら以外の受付方法を適宜サポートしてもよい。例えば、ユーザ２が電子メールアドレスを記憶したＩＣカード６（図２参照）を所持しているケースを想定して、ＩＣカード読取装置１３６２を用いて当該アドレスを読み出して通知アドレスとする方法をサポートしてもよい。あるいは、アクセス情報返信用アドレスをタッチパネル１３０６に表示させるとともに、当該アドレスに空メールを送信するようにユーザ２に促すテキストを表示する受動的な方法もサポートするとしてもよい。更には、何れかの方法をユーザ２が任意に選択する構成としてもよい。
【００５８】
図９は、ユーザが指定した通知アドレスを用いてユーザ端末１５００で撮影画像を取得する仕組みについて説明する図である。
撮影印刷装置１３００は、画像保存リクエストとともに、撮影画像データ４０と、アクセス情報４２と、撮影した２次元コードをデコードしたデコード情報４４とをサーバシステム１１００へ送信する（ｉ）。
【００５９】
サーバシステム１１００は、当該画像保存リクエストを受信すると、受信した撮影画像データ４０等を対応づけてストレージ１１４０に記憶・保存し、通知システムサーバ１６００へ向けて、所定の通知実行リクエストとともに、保存したばかりのデコード情報４４に含まれるアプリＩＤ４６（通知アドレス）およびアクセス情報４２を送信する（ｉｉ）。
【００６０】
通知システムサーバ１６００は、当該通知実行リクエストを受信すると、公知技術と同様にして、受信したアプリＩＤ４６を用いてユーザ端末１５００へ受信したアクセス情報４２を含むプッシュ通知を実行する（ｉｉｉ）。
【００６１】
ユーザ端末１５００は、プッシュ通知を受信することでアクセス情報４２を記憶することができる。ユーザ２は、ユーザ端末１５００を操作して、ウェブブラウザ等でサーバシステム１１００が提供する所定のダウンロード用ウェブページにアクセスし（ｉｖ）、アクセス情報４２を用いて承認を受け、保存されていた撮影画像データ４０の提供を受ける（ｖ）。
【００６２】
なお、撮影印刷装置１３００は、印刷無コースが選択され、且つ、第１の通知アドレス受付方法で通知アドレスとしてアプリＩＤを取得できなかった場合には、第２のアドレス受付方法で取得した電子メールアドレスへアクセス情報４２を送信するものとする。
【００６３】
〔撮影印刷装置の機能構成の説明〕
次に、本実施形態を実現するための機能構成例について説明する。
図１０は、本実施形態における撮影印刷装置１３００の機能構成例を示す機能ブロック図である。本実施形態における撮影印刷装置１３００は、操作入力部１００と、撮影部１０２と、コイン投入部１０４と、ＩＣカード読取部１０６と、処理部２００と、印刷部３６０と、画像表示部３７２と、通信部３７４と、記憶部５００とを備える。
【００６４】
操作入力部１００は、各種操作を入力するための手段である。図２の例ではタッチパネル１３０６が該当する。
【００６５】
撮影部１０２は、ユーザを撮影し、撮影した画像のデータを処理部２００へ出力する。図２の例ではカメラ部１３０８が該当する。
【００６６】
コイン投入部１０４は、１枚毎のコイン投入受け付け、投入検知信号を処理部２００へ出力する。図２の例ではコイン投入装置１３０２が該当する。
【００６７】
ＩＣカード読取部１０６は、ＩＣカード６からのデータ読み取りと、データの書き込みをする。図２の例ではＩＣカード読取装置１３６２が該当する。
【００６８】
処理部２００は、例えばＣＰＵやＧＰＵ等のマイクロプロセッサや、ＡＳＩＣ（特定用途向け集積回路）、ＩＣメモリなどの電子部品によって実現され、操作入力部１００や記憶部５００を含む各機能部との間でデータの入出力制御を行う。そして、所定のプログラムやデータ、操作入力部１００からの操作入力信号などに基づいて各種の演算処理を実行して、撮影印刷装置１３００の動作を統合的に制御する。図２の例では制御基板１３５０が該当する。
【００６９】
そして、処理部２００、アプリＩＤ受付制御部２０２と、伝送先情報受付制御部２０４と、伝送先情報受付抑止部２０６と、印刷選択受付制御部２０８と、印刷支障時制御部２０９と、看做し印刷希望受付部２１０と、通信不通時制御部２１２と、アクセス情報取得部２１４と、アクセス情報表示制御部２１６と、画像編集部２１８と、伝送制御部２２０と、印刷制御部２２２と、画像生成部２７２と、通信制御部２７４とを含む。
【００７０】
アプリＩＤ受付制御部２０２は、ユーザ端末１５００にインストールされている撮影補助アプリのアプリＩＤの入力受け付けに係る制御をする。具体的には、前述の第１の通知アドレス受付方法に係り、すなわち、第１の通知アドレス提供手順案内画面Ｗ１０や第２の通知アドレス提供手順案内画面Ｗ１２の表示制御、終了指示コード１６の表示制御、撮影画像からユーザ端末１５００で表示された２次元コードを識別してデコードする処理、等を実行する（図５参照）。
【００７１】
伝送先情報受付制御部２０４は、アクセス情報をユーザに宛てて伝送するための伝送先情報の入力受け付けに係る制御を、アプリＩＤの入力が受け付けられなかった場合に実行する。具体的には、前述の第２の通知アドレス受付方法に係る処理をする（図６参照）。
【００７２】
伝送先情報受付抑止部２０６は、受け付けられたアプリＩＤの数が２個以上の場合に、伝送先情報受付制御部２０４による受け付けを抑止する。
【００７３】
印刷選択受付制御部２０８は、撮影画像のその場での印刷を希望するか否かのユーザの選択操作入力を受け付けるための制御を行う（図４参照）。
【００７４】
印刷支障時制御部２０９は、印刷部３６０による印刷が支障状態の場合に、印刷選択受付制御部２０８による印刷を希望する旨の選択操作の受け付けを抑止し、印刷を希望しない旨のみを選択可能とする或いは印刷を希望しない旨の選択操作がなされたと自動的にみなして処理する。
【００７５】
看做し印刷希望受付部２１０は、コイン投入部１０４に印刷無コースの支払対価とされる第１の枚数を超えるコインが投入された場合に、印刷を希望する旨の選択操作がなされた、すなわちより支払対価の大きい印刷有コースが選択されたとみなして処理する。
【００７６】
通信不通時制御部２１２は、サーバシステム１１００との通信が不通状態又は不調状態の場合に、印刷選択受付制御部２０８による印刷を希望しない旨の選択操作の受け付けを抑止し、印刷を希望する旨のみを選択可能とする或いは印刷を希望する旨の選択操作がなされたと自動的にみなして処理する。具体的には、第２の選択画面例Ｗ４の表示を行うことで受け付けの抑止とする（図４参照）。
【００７７】
アクセス情報取得部２１４は、サーバシステム１１００から撮影画像データをダウンロード要求するのに必要なアクセス情報を取得する。本実施形態では撮影印刷装置１３００自身でアクセス情報を生成することとする。すなわち、本実施形態のアクセス情報取得部２１４は“アクセス情報生成部”として機能する。
【００７８】
アクセス情報表示制御部２１６は、印刷無コースすなわち印刷を希望しない旨の選択操作が受け付けられた場合に、生成したアクセス情報を表示部に表示させる制御を行う。具体的には、アクセス情報提示画面Ｗ１８の表示制御を行う（図７参照）。
ただし、印刷を希望しない旨の選択操作が受け付けられた場合であっても、アプリＩＤの入力が受け付けられたときにはアクセス情報を表示させず、アプリＩＤの入力が受け付けられなかったときにアクセス情報を表示させる制御を行う。
【００７９】
画像編集部２１８は、撮影された画像に各種画像処理を施すことができる。
【００８０】
伝送制御部２２０は、第２のアドレス受付方法で取得された伝送先情報に宛ててアクセス情報を伝送するための制御を行う。
【００８１】
印刷制御部２２２は、印刷部３６０を制御する。本実施形態では、印刷を希望しない旨の選択操作が受け付けられた場合には撮影画像のその場での印刷は実行させず、印刷を希望する旨の選択操作が受け付けられた場合に印刷を実行させる。そして、印刷を実行させる際には、撮影画像とともにアクセス情報３０とサーバシステム１１００が提供するウェブサイトのＵＲＬ３２とを被印刷媒体に印刷させる（図７参照）。
【００８２】
画像生成部２７２は、操作案内画面を表示させるための画像データを生成し、画像信号を画像表示部３７２へ出力することができる。
【００８３】
画像表示部３７２は、画像生成部２７２から入力される画像信号に基づいて各種画像を表示する。例えば、フラットパネルディスプレイ、ブラウン管（ＣＲＴ）、プロジェクターといった画像表示装置によって実現できる。図２の例ではタッチパネル１３０６が該当する。
【００８４】
通信制御部２７４は、データ通信に係るデータ処理を実行し、通信部３７４を介して外部装置とのデータのやりとりを実現する。
本実施形態では、撮影画像のデータをサーバシステム１１００へ送信する制御を行うことができる。その際、撮影画像のデータとともにアクセス情報をサーバシステム１１００へ送信し、更に第１のアドレス受付方法によりアプリＩＤの入力が受け付けられた場合には当該アプリＩＤもサーバシステム１１００へ送信する。
【００８５】
通信部３７４は、通信回線９と接続して通信を実現する。例えば、無線通信機、モデム、ＴＡ（ターミナルアダプタ）、有線用の通信ケーブルのジャックや制御回路等によって実現される。図２の例では通信モジュール１３５３が該当する。
【００８６】
印刷部３６０は、撮影画像を所定の被印刷媒体に印刷して出力する。図２の例では印刷装置１３６０がこれに該当する。
【００８７】
記憶部５００は、処理部２００に撮影印刷装置１３００を統合的に制御させるための諸機能を実現するためのプログラムや各種データ等を記憶する。また、処理部２００の作業領域として用いられ、処理部２００が実行した演算結果などを一時的に記憶する。この機能は、例えばＲＡＭやＲＯＭなどのＩＣメモリ、ハードディスク等の磁気ディスク、ＣＤ−ＲＯＭやＤＶＤなどの光学ディスクなどによって実現される。図２の例ではＩＣメモリ１３５２がこれに該当する。
【００８８】
そして、本実施形態の記憶部５００は、制御プログラム５０１と、コイン投入数５１０と、印刷設定フラグ５１２と、デコード情報５１４と、受付済伝送先情報５１６と、アクセス情報５１８と、オリジナル撮影画像データ５２０と、編集画像データ５２２と、印刷対象画像ＩＤ５２４と、印刷画像データ５２６と、システムチェック結果５２８とを記憶する。その他、タイマやカウンタ、各種フラグなどの情報を適宜記憶できる。
【００８９】
制御プログラム５０１は、処理部２００が読み出して実行することでコンピュータとして必要な基本的な入出力機能を実現し、アプリＩＤ受付制御部２０２〜印刷制御部２２２の各部の機能を実現するためのプログラムである。図では１つのプログラムとして示しているが、複数のプログラムで構成されるとしてもよいのは勿論である。
【００９０】
コイン投入数５１０は、コイン投入部１０４に投入されたコインの投入数の合計である。起動時および撮影終了時に「０」にリセットされ、コイン投入部１０４から投入検知信号を受信するとごとに「１」アップされる。
【００９１】
印刷設定フラグ５１２は、その場での撮影画像の印刷をする／しないを示すフラグであって、撮影前に初期状態「０（印刷希望なし：印刷無し）」にリセットされ、印刷を希望する旨の選択操作が検出された場合や、印刷無しの支払い対価を超えるコインの投入が検出されると自動的に「１（印刷希望する：印刷有り）」に変更される。
【００９２】
デコード情報５１４は、第１のアドレス受付方法により取得されたアドレス情報であって、２次元コードをデコードした各種情報を格納する。本実施形態ではアプリＩＤもこれに含まれる。
【００９３】
受付済伝送先情報５１６は、第２のアドレス受付方法で取得したアプリＩＤ以外のアドレス情報である。本実施形態では電子メールアドレスであるが、ユーザ端末１５００を特定することのできる情報であれば、それ以外でもよい。
【００９４】
オリジナル撮影画像データ５２０は、撮影されたオリジナルの画像データであって、撮影毎に作成されて自動付与される固有の画像ＩＤにて識別される。
【００９５】
編集画像データ５２２は、撮影されたオリジナルの画像データを加工して生成された画像データであって、固有の画像ＩＤにて識別される。
【００９６】
印刷対象画像ＩＤ５２４は、オリジナル撮影画像データ５２０や編集画像データ５２２のうち、印刷の対象とされた画像ＩＤを示す。撮影前には未定を示す初期値にリセットされ、撮影終了後に行われるユーザ２による印刷対象の選択操作に応じて対応する画像ＩＤが格納される。
【００９７】
印刷画像データ５２６は、印刷される画像の最終形態のデータである（図８参照）。アクセス情報も合成されている。
【００９８】
〔ユーザ端末の機能構成の説明〕
図１１は、本実施形態におけるユーザ端末１５００の機能構成例を示す機能ブロック図である。本実施形態におけるユーザ端末１５００は、操作入力部１００ｔと、撮影部１０２ｔと、端末処理部２００ｔと、画像表示部３７２ｔと、通信部３７４ｔと、端末記憶部５００ｔとを備える。
【００９９】
操作入力部１００ｔは、ユーザよって為された各種の操作入力に応じて操作入力信号を端末処理部２００ｔに出力する。例えば、プッシュスイッチや、ジョイスティック、タッチパッド、トラックボール、加速度センサー、ジャイロ、ＣＣＤモジュール、などによって実現できる。図３の例では方向入力キー１５０２や、ボタンスイッチ１５０４、タッチパネル１５０６がこれに該当する。
【０１００】
撮影部１０２ｔは、端末正面、すなわち画像表示部３７２ｔの画面表示方向の様子を撮影し、画像のデータを生成して端末処理部２００ｔに出力する。図３の例ではカメラ部１５０８が該当する。
【０１０１】
端末処理部２００ｔは、例えばＣＰＵやＧＰＵ等のマイクロプロセッサや、ＡＳＩＣ（特定用途向け集積回路）、ＩＣメモリなどの電子部品によって実現され、操作入力部１００ｔや端末記憶部５００ｔを含む各機能部との間でデータの入出力制御を行う。そして、所定のプログラムやデータに基づいて各種の演算処理を実行して、ユーザ端末１５００の動作を制御する。図３の例では制御基板１５５０がこれに該当する。
そして、本実施形態の端末処理部２００ｔは、コード生成部２３０と、コード表示制御部２３２と、通知受信制御部２３４と、インターネットブラウズ制御部２３５と、電子メール制御部２３６と、画像生成部２７２ｔと、通信制御部２７４ｔとを備える。
【０１０２】
コード生成部２３０とコード表示制御部２３２は、撮影補助アプリ５０３を実行することにより実現される。
コード生成部２３０は、自機に撮影補助アプリ５０３の配信を受け、インストールした際に付与された固有のアプリＩＤ５４０を含むコードを生成する。アプリＩＤ５４０は、ユーザ端末１５００のＯＳによって、アプリ（アプリケーションプログラム）のインストール毎にユニークに発行されるＩＤであり、ユーザ端末１５００が異なれば異なるＩＤであり、また同一のユーザ端末１５００であっても再インストール時には異なるＩＤが発行される。本実施形態では、アプリＩＤ５４０とともに、撮影補助アプリの初回起動時に実行されるユーザ登録（サーバシステム１１００へのログイン登録（ユーザ登録））で登録されたユーザアカウント５４２と電子メールアドレス５４４とを含む２次元コード５４６を生成し端末記憶部５００ｔに記憶させる。生成方法は、適宜公知技術を用いることで実現できる。
【０１０３】
コード表示制御部２３２は、２次元コード５４６を画像表示部３７２ｔに表示させる。それとともに撮影部１０２ｔによる撮影を開始させ、終了指示コード１６（図５参照）が撮影されたことを検出して、撮影補助アプリを自動終了させる。つまり、２次元コード５４６の表示を終了させる。
【０１０４】
通知受信制御部２３４は、通知システムサーバ１６００（図１参照）が提供するプッシュ通知に対応した受信制御を行い、通知を受信する毎にプッシュ通知データ５５０を端末記憶部５００ｔに記憶させる。プッシュ通知データ５５０には、自機を特定するためのアドレスとしてのアプリＩＤ５５２と、付随したアクセス情報５５４とを格納する。
【０１０５】
インターネットブラウズ制御部２３５は、サーバシステム１１００が提供するウェブサイトにアクセスし、データの送受を行う機能を実現する。公知のウェブブラウズ技術により実現される。
電子メール制御部２３６は、電子メール機能を実現する。
【０１０６】
画像生成部２７２ｔは、各種画面を表示させるための画像データを生成し、画像信号を画像表示部３７２ｔへ出力することができる。
画像表示部３７２ｔは、画像生成部２７２ｔから入力される画像信号に基づいて各種画像を表示する。図３の例ではタッチパネル１５０６が該当する。
【０１０７】
通信制御部２７４ｔは、データ通信に係るデータ処理を実行し、通信部３７４ｔを介して外部装置とのデータのやりとりを実現する。本実施形態では、通知システムサーバ１６００からのプッシュ通知の受信制御と、撮影画像のデータをサーバシステム１１００からダウンロードするためのウェブサイトへのアクセス制御、撮影画像データをダウンロード要求する過程でアクセス情報５５４をサーバシステム１１００へ送信する制御、などを行うことができる。
【０１０８】
通信部３７４ｔは、通信回線９と接続して通信を実現する。例えば、無線通信機、モデム、ＴＡ（ターミナルアダプタ）、有線用の通信ケーブルのジャックや制御回路等によって実現される。図３の例では通信モジュール１５５３が該当する。
【０１０９】
端末記憶部５００ｔは、端末処理部２００ｔにユーザ端末１５００を統合的に制御させるための諸機能を実現するためのプログラムや各種データ等を記憶する。また、端末処理部２００ｔの作業領域として用いられ、端末処理部２００ｔが実行した演算結果などを一時的に記憶する。この機能は、例えばＲＡＭやＲＯＭなどのＩＣメモリ、ハードディスク等の磁気ディスク、ＣＤ−ＲＯＭやＤＶＤなどの光学ディスクなどによって実現される。図３の例ではＩＣメモリ１５５２がこれに該当する。
【０１１０】
そして、本実施形態の端末記憶部５００ｔは、端末システムプログラム５０２と、撮影補助アプリ５０３と、通知受信アプリ５０４と、ブラウザアプリ５０５と、電子メールアプリ５０６と、アプリＩＤ５４０と、ユーザアカウント５４２と、電子メールアドレス５４４と、２次元コード５４６と、プッシュ通知データ５５０と、電子メールデータ５６０とを記憶する。その他、タイマやカウンタ、各種フラグなどの情報を適宜記憶できる。
【０１１１】
端末システムプログラム５０２は、端末処理部２００ｔが読み出して実行することでユーザ端末１５００にコンピュータとして必要な基本的な入出力機能を実現する。
【０１１２】
撮影補助アプリ５０３は、端末処理部２００ｔが読み出して実行することでコード生成部２３０とコード表示制御部２３２としての機能を実現させるためのアプリケーションプログラムである。
【０１１３】
通知受信アプリ５０４、ブラウザアプリ５０５、電子メールアプリ５０６は、端末処理部２００ｔが読み出して実行することでそれぞれ通知受信制御部２３４、インターネットブラウズ制御部２３５、電子メール制御部２３６としての機能を実現するためのアプリケーションプログラムである。これらは、端末システムプログラム５０２の一部であってもよい。
【０１１４】
〔サーバシステムの機能構成の説明〕
図１２は、本実施形態におけるサーバシステム１１００の機能構成例を示す機能ブロック図である。本実施形態におけるサーバシステム１１００は、操作入力部１００ｓと、サーバ処理部２００ｓと、画像表示部３７２ｓと、通信部３７４ｓと、サーバ記憶部５００ｓとを備える。
【０１１５】
操作入力部１００ｓは、サーバの管理のための各種操作を入力するための手段である。図１の例ではキーボード１１０６が該当する。
【０１１６】
サーバ処理部２００ｓは、例えばＣＰＵやＧＰＵ等のマイクロプロセッサや、ＡＳＩＣ（特定用途向け集積回路）、ＩＣメモリなどの電子部品によって実現され、操作入力部１００ｓやサーバ記憶部５００ｓを含む各機能部との間でデータの入出力制御を行う。そして、所定のプログラムやデータ、操作入力部１００ｓからの操作入力信号、ユーザ端末１５００から受信したデータに基づいて各種の演算処理を実行して、サーバシステム１１００の動作を統合的に制御する。図１の例では制御基板１１５０が該当する。
【０１１７】
そして、本実施形態のサーバ処理部２００ｓは、アカウント管理部２０１と、撮影画像管理部２５０と、画像生成部２７２ｓと、通信制御部２７４ｓとを含む。
【０１１８】
アカウント管理部２０１は、オンラインでのユーザ登録手続きに係る処理を行う。登録手続きを経たユーザすなわちプレーヤに対して固有のアカウントを発給し、登録情報の１つとして電子メールアドレスをユーザに入力させる。これらの情報は、ユーザ登録データベース５９２にて記憶・管理される。
【０１１９】
撮影画像管理部２５０は、撮影画像データの記憶管理と配信を管理する。具体的には、画像データ受信制御部２５２と、画像データ記憶管理部２５４と、通知依頼制御部２５６と、画像データ配信制御部２５８と、を有する。
【０１２０】
画像データ受信制御部２５２は、撮影印刷装置１３００から撮影画像データと通知アドレスとアクセス情報とを受信制御する。
【０１２１】
画像データ記憶管理部２５４は、受信した撮影画像データと通知アドレスとアクセス情報とを、撮影画像データベース６００に撮影画像データセット６０２として記憶・管理する。
【０１２２】
１つの撮影画像データセット６０２は、例えば図１３に示すように、当該セットの生成時に自動付与される固有の管理ＩＤ６０４と、登録日時６０６と、撮影印刷装置１３００から受信したデコード情報５１４（図１０参照）の一部であるアプリＩＤ６１４と、伝送先情報６１６（図１０の受付済伝送先情報５１６に同じ）と、アクセス情報６１８（図１０のアクセス情報５１８に同じ）、オリジナル撮影画像データ６２０（図１０のオリジナル撮影画像データ５２０に同じ）と、編集画像データ６２２（図１０の編集画像データ５２２に同じ）と、を含む。勿論、これら以外のデータも適宜格納することができる。
【０１２３】
図１２に戻って、通知依頼制御部２５６は、通知システムサーバ１６００へ受信した撮影画像データに対応する通知アドレスへ向けてアクセス情報を通知するように依頼する制御を行う。プッシュ通知の技術は、公知のプッシュ通知技術を適宜利用することで実現できる。
【０１２４】
画像データ配信制御部２５８は、アクセス情報を認証キーとして、保存している撮影画像データの配信を実現する。具体的には、配信用のウェブサイトを管理する機能と、アクセス情報の入力画面をユーザ端末１５００に表示させる機能と、当該入力画面にて入力されたアクセス情報の認証機能と、認証したユーザ端末１５００へ当該アクセス情報に対応する撮影画像データをユーザ端末１５００にて選択させ、選択されたデータのダウンロードを実現する機能と、を実現する。何れの機能も、適宜公知技術を利用することにより実現できる。
【０１２５】
画像生成部２７２ｓは、サーバシステム１１００の保守に関する画像等を生成し、画像表示部３７２ｓへ出力することができる。
【０１２６】
画像表示部３７２ｓは、画像生成部２７２ｓから入力される画像信号に基づいてシステム管理のための各種画像を表示する。例えば、フラットパネルディスプレイ、ブラウン管（ＣＲＴ）、プロジェクター、ヘッドマウントディスプレイといった画像表示装置によって実現できる。図１の例ではタッチパネル１１０８が該当する。
【０１２７】
通信制御部２７４ｓは、データ通信に係るデータ処理を実行し、通信部３７４ｓを介して外部装置とのデータのやりとりを実現する。
【０１２８】
通信部３７４ｓは、通信回線９と接続して通信を実現する。例えば、無線通信機、モデム、ＴＡ（ターミナルアダプタ）、有線用の通信ケーブルのジャックや制御回路等によって実現される。図１の例では通信装置１１５３が該当する。
【０１２９】
サーバ記憶部５００ｓは、サーバ処理部２００ｓにサーバシステム１１００を統合的に制御させるための諸機能を実現するためのシステムプログラムや、撮影画像データを記憶管理するために必要なプログラム、各種データ等を記憶する。また、サーバ処理部２００ｓの作業領域として用いられ、サーバ処理部２００ｓが各種プログラムに従って実行した演算結果などを一時的に記憶する。この機能は、例えばＲＡＭやＲＯＭなどのＩＣメモリ、ハードディスク等の磁気ディスク、ＣＤ−ＲＯＭやＤＶＤなどの光学ディスクなどによって実現される。図１の例では本体装置１１０１が搭載するＩＣメモリ１１５２やハードディスクなどの記憶媒体、及びストレージ１１４０がこれに該当する。
【０１３０】
そして、本実施形態におけるサーバ記憶部５００ｓは、サーバシステムプログラム５０７と、管理プログラム５０８と、ユーザ登録用ウェブサイトデータ５９０と、ユーザ登録データベース５９２と、撮影画像データ配信用ウェブサイトデータ５９４と、撮影画像データベース６００とを記憶する。その他、タイマやカウンタ、各種フラグなどの情報を適宜記憶できる。
【０１３１】
サーバシステムプログラム５０７は、サーバ処理部２００ｓが読み出して実行することでサーバシステム１１００にコンピュータとして必要な基本的な入出力機能を実現するためのシステムプログラムである。
【０１３２】
管理プログラム５０８は、サーバ処理部２００ｓが読み出して実行することで、アカウント管理部２０１と、撮影画像管理部２５０としての機能を実現させるためのプログラムである。なお、通知依頼制御部２５６を実現するためのプログラム部分は、通知システムサーバ１６００が公開するＡＰＩ（Application Programming Interface）などを適宜利用することで実現できる。
【０１３３】
ユーザ登録用ウェブサイトデータ５９０は、撮影補助アプリの初回起動時に自動的にアクセスするユーザ登録用のウェブサイトを定義するデータである。当該ウェブサイトでユーザ登録手続きは実現され、登録に伴い付与されるユーザアカウントと、電子メールアドレスなどの登録情報とは、対応づけてユーザ登録データベース５９２に記憶・管理される。
【０１３４】
撮影画像データ配信用ウェブサイトデータ５９４は、アクセス情報を認証キーとして撮影画像データセット６０２に格納されている撮影画像データを配信するためのウェブサイトを定義するデータである。
【０１３５】
〔撮影印刷装置の動作説明〕
図１４〜図１６は、撮影印刷装置１３００における１回の撮影と印刷に係る処理の流れについて説明するためのフローチャートである。ここで説明する処理の流れは、撮影印刷装置１３００が客待ちモードにあって、タッチパネル１３０６へのタッチ操作を検出することにより実行される。
【０１３６】
先ず撮影印刷装置１３００の処理部２００は、システムチェックを実行して、印刷が可能であるか、通信が正常であるかを確認する（ステップＳ２）。具体的には、印刷装置１３６０の故障、インク切れ、被印刷媒体の欠品などの場合には「印刷不能」と判定する。また、通信モジュール１３５３の故障、通信回線９の断線・不通、通信品質が所定の安定条件を満たさない場合には「通信不能」と判定する。そして、それらの判定結果をシステムチェック結果５２８として記憶する。なお、システムチェックの方法は、公知技術を適宜利用可能である。また、当該ステップを撮影毎には行わず、撮影印刷装置１３００の起動時にのみチェックして、当該ステップにおいては、この起動時のチェック結果を代用するとしてもよい。
【０１３７】
次に、処理部２００は、コース選択表示処理を実行して、システムチェックの結果に応じて印刷有り／印刷無しのコース選択をタッチパネル１３０６に表示させる。
【０１３８】
図１７は、コース選択表示処理の流れを説明するためのフローチャートである。
同処理に於いて、処理部２００は、システムチェックの結果が「通信正常、且つ、印刷可能」であれば（ステップＳ１０のＹＥＳ）、タッチパネル１３０６に印刷有りコース選択操作アイコン１０と、印刷無しコース選択操作アイコン１２との両方を表示させ（ステップＳ１２：図４（１）参照）、図１４のフローチャートに戻る。
【０１３９】
システムチェックの結果が「通信正常、且つ、印刷不能」であれば（ステップＳ１４のＹＥＳ）、タッチパネル１３０６に印刷無しコース選択操作アイコン１２のみ表示させ（ステップＳ１６：図４（３）参照）、図１４のフローチャートに戻る。
【０１４０】
システムチェックの結果が「通信異常、且つ、印刷可能」であれば（ステップＳ１８のＹＥＳ）、タッチパネル１３０６に印刷有りコース選択操作アイコン１０のみを表示させ（ステップＳ２０：図４（２）参照）、図１４のフローチャートに戻る。
【０１４１】
もし、システムチェックの結果が「通信異常、且つ、印刷不能」であれば（ステップＳ１８のＮＯ）、処理部２００はタッチパネル１３０６に故障により利用できない旨を告げる故障通知を表示させて（ステップＳ２２）、図１４のフローチャートに戻ることなく一連の処理を終了する。
【０１４２】
図１４に戻って、撮影印刷装置１３００の処理部２００は、印刷有りコース選択操作アイコン１０への操作が検出された場合には（ステップＳ４０の印刷有り）、印刷有りコースの設定料金分のコインがコイン投入装置１３０２に投入されるのを待って（ステップＳ４２）、印刷設定フラグ５１２（図９参照）を「１（印刷有り）」に設定する（ステップＳ４４）。
【０１４３】
もし、印刷無しコース選択操作アイコン１２への操作が検出された場合には（ステップＳ４０の印刷無し）、処理部２００は印刷無しコースの設定料金分のコインがコイン投入装置１３０２に投入されるのを待つ（ステップＳ５０）。そして、一定時間経過した段階で、印刷無しコースの料金を超えるコインが投入されている場合には（ステップＳ５２）、印刷無しの選択操作がなされたが印刷を希望する旨の訂正操作がなされたとみなして、印刷設定フラグ５１２を「１（印刷有り）」に設定する（ステップＳ５４）。勿論、印刷無しコースの料金丁度のコインが投入されていれば、印刷設定フラグ５１２を「０（印刷無し）」に設定する（ステップＳ５６）。
【０１４４】
次に、処理部２００は、タッチパネル１３０６に、ユーザ端末１５００で撮影補助アプリを起動させて２次元コードを表示させ、それをカメラ部１３０８の前にかざすように促す第１の通知アドレス提供手順案内画面Ｗ１０（図５（１）参照）を表示させる。
【０１４５】
次いで、処理部２００がカメラ部１３０８を用いて２次元コードの読み取り処理を開始し（ステップＳ６２）、コード読み取り期間のカウントダウンを開始する（ステップＳ６４）。そして、２次元コードを読み取りできたならば（ステップＳ６６のＹＥＳ）、その２次元コードをデコードして、アプリＩＤを含むデコード情報５１４を生成・記憶し（ステップＳ６８：図１０参照）、タッチパネル１３０６に受付が完了した旨と、所定の終了指示コード１６（２次元コード）とを一定時間表示する（図５（２）参照、ステップＳ７０）。
【０１４６】
ステップＳ６６〜Ｓ７０は、コード読み取り期間がタイムアップするまで繰り返し実行される（ステップＳ７２のＮＯ）。その間、２次元コードを読み取る毎に、すなわち一緒に撮影する各ユーザのユーザ端末１５００別のデコード情報５１４が記憶されることになる。勿論、ユーザがユーザ端末１５００を所持していない場合や、所持していても撮影補助アプリをダウンロード／インストールしていない場合には、アプリＩＤは受け付けされないことになる。
【０１４７】
図１５のフローチャートに移って、アプリＩＤが受け付けされなかった場合（ステップＳ８０のＮＯ）および、アプリＩＤが受け付けされたがその数が「１」以下の場合には（ステップＳ８２のＹＥＳ）、処理部２００は伝送先情報の入力処理を実行する（ステップＳ８４）。
具体的には、タッチパネル１３０６に第３の通知アドレス提供手順案内画面Ｗ１６（図６参照）を所定時間表示させ、時間内であれば複数の電子メールアドレスの入力を受け付ける。当該入力された電子メールアドレスは、受付済伝送先情報５１６として記憶される。
【０１４８】
ステップＳ６０〜ステップＳ８４により、撮影画像データを提供するための通知アドレスとしてアプリＩＤ及び／又は電子メールアドレスが取得できたことになる。
【０１４９】
次に、処理部２００はアクセス情報５１８を生成し（ステップＳ８６）、印刷設定フラグ５１２を参照して値が「０」すなわち印刷設定が「印刷無し」であり（ステップＳ９０の印刷無し）、且つ、アプリＩＤが受け付けされなかった場合（ステップＳ９２のＮＯ）には、生成したアクセス情報５１８をタッチパネル１３０６に表示させる（ステップＳ９４：図７参照）。印刷設定が「印刷有り」の場合（ステップＳ９０の印刷有り）、或いは、アプリＩＤが受け付けされた場合（ステップＳ９２のＹＥＳ）には、アクセス情報の表示はスキップ（抑止）される。
【０１５０】
次に、処理部２００は、カメラ部１３０８によりユーザ２の撮影を実行する（ステップＳ９６）。これがオリジナルの撮影画像であってオリジナル撮影画像データ５２０として記憶される。
【０１５１】
処理部２００はそれらオリジナルの撮影画像を画像編集処理する。例えば、コラージュしたり、明度や彩度を調整したり、リサイズしたり、クロマキー処理をして背景を差し替えるなどして画像編集処理を実行する（ステップＳ９８）。当該処理の結果は、編集画像データ５２２として記憶される。なお、当該ステップは適宜省略することができる。
【０１５２】
図１６のフローチャートに移って、撮影印刷装置１３００の処理部２００は撮影画像の印刷とサーバシステム１１００へのデータ送信を開始する。
すなわち、印刷設定が印刷有りの場合には（ステップＳ１５０の印刷有り）、処理部２００は、タッチパネル１３０６に撮影画像（オリジナル撮影画像データ５２０および編集画像データ５２２）のサムネイルを選択可能に一覧表示させて（ステップＳ１５８）、ユーザに印刷する画像の選択をさせる（ステップＳ１６０）。サムネイルには元になった撮影画像の画像ＩＤが対応付けられているので、選択結果は印刷対象画像ＩＤ５２４として記憶される。
【０１５３】
次いで、処理部２００は印刷対象に選択された撮影画像にアクセス情報３０と所定のＵＲＬ３２を合成した印刷用画像を生成して、印刷装置１３６０に印刷させる（ステップＳ１６２）。そして、撮影画像データ送信処理を実行する（ステップＳ１６４）。
【０１５４】
一方、印刷設定が「印刷無し」の場合には（ステップＳ１５０の印刷無し）、処理部２００は、システムチェック結果５２８を参照して印刷可能であるかを確認する。
もし、印刷可能であれば（ステップＳ１５２のＹＥＳ）、タッチパネル１３０６に追加料金の支払いをすると印刷設定を「印刷有り」に変更できる旨の表示を行い（ステップＳ１５４）、追加料金分のコインの投入が検出されれば（ステップＳ１５６のＹＥＳ）、ステップＳ１５８〜Ｓ１６２を実行して、撮影画像データ送信処理を実行する（ステップＳ１６４）。
もし、印刷不能であれば（ステップＳ１５２のＮＯ）、印刷に係るステップ（Ｓ１５８〜Ｓ１６２）はスキップされて、撮影画像データ送信処理を実行する（ステップＳ１６４）。
【０１５５】
図１８は、撮影画像データ送信処理の流れを説明するためのフローチャートである。
同処理では、アプリＩＤが受け付けされていて（ステップＳ２００のＹＥＳ）、且つ、通信が正常であれば（ステップＳ２０２のＹＥＳ）、処理部２００はサーバシステム１１００へ所定の画像保存リクエストとともに、オリジナル撮影画像データ５２０と、編集画像データ５２２と、アクセス情報５１８と、デコード情報５１４と、を送信し（ステップＳ２０４）、撮影画像データ送信処理を終了して戻る。
但し、アプリＩＤが受け付けされていても、通信が正常でなければ（ステップＳ２０２のＮＯ）、処理部２００はステップＳ２０４をスキップする。
【０１５６】
もし、アプリＩＤが受け付けされておらず（ステップＳ２００のＮＯ）、且つ、通信が正常の場合（ステップＳ２０６のＹＥＳ）、処理部２００は、受付済伝送先情報５１６それぞれへ、アクセス情報５１８を添付した電子メールを送信し（ステップＳ２０８）、サーバシステム１１００へ所定の画像保存リクエストとともに、オリジナル撮影画像データ５２０と、編集画像データ５２２と、アクセス情報５１８とを送信し（ステップＳ２１０）、撮影画像データ送信処理を終了して戻る。
【０１５７】
図１６のフローチャートにもどって、撮影印刷装置１３００の処理部２００は、今回の撮影において生成された各データを消去する（ステップＳ２１２）。具体的には、コイン投入数５１０と、印刷設定フラグ５１２と、デコード情報５１４と、受付済伝送先情報５１６と、アクセス情報５１８と、オリジナル撮影画像データ５２０と、編集画像データ５２２と、印刷対象画像ＩＤ５２４と、印刷画像データ５２６と、システムチェック結果５２８とを消去または初期化する。
【０１５８】
〔ユーザ端末の動作説明〕
次に、ユーザ端末１５００の動作について説明する。
図１９は、ユーザ端末１５００における撮影補助処理の流れを説明するためのフローチャートである。当該処理は、撮影印刷装置１３００での撮影にのぞんだユーザ２が、第１の通知アドレス提供手順案内画面Ｗ１０（図５参照）に促されて撮影補助アプリを実行することにより実現される。
【０１５９】
ユーザ端末１５００の端末処理部２００ｔは、所定のウェブサイトにアクセスしてユーザアカウント等を用いてアプリ認証手続き、いわゆるログインを実行する（ステップＳ２９８）。勿論、撮影補助アプリの当該ユーザ端末における初回起動時には（ステップＳ３００のＹＥＳ）、ユーザ登録手続きに係る処理を実行し、電子メールアドレスを登録することとする（ステップＳ３０２）。これに伴い発給されたユーザアカウント５４２を端末記憶部５００ｔに記憶する（ステップＳ３０４）。２回目以降の起動時には、ステップＳ３０２とＳ３０４はスキップされる。なお、ステップＳ２９８を省略する構成も可能である。
【０１６０】
次に、アプリＩＤ５４０と、ユーザアカウント５４２と、電子メールアドレス５４４とを含む２次元コード５４６を生成し（ステップＳ３１０）、生成したコードをタッチパネル１５０６に表示させる（ステップＳ３１２）。撮影印刷装置１３００にて撮影にのぞんだユーザ２は、この段階で表示された２次元コードを撮影印刷装置１３００のカメラ部１３０８に向けてかざすことになる（図５参照）。
【０１６１】
前述のように、撮影印刷装置１３００は２次元コードを読み取ると、一時的に終了指示コード１６を、カメラ部１３０８に向けてかざされたユーザ端末１５００のカメラ部１５０８で撮影できるようにタッチパネル１３０６に表示する。
【０１６２】
ユーザ端末１５００の端末処理部２００ｔは、この終了指示コード１６を読み取った場合（ステップＳ３１４のＹＥＳ）と、所定のアプリ終了操作の入力が検出された場合に（ステップＳ３１６のＹＥＳ）、撮影補助処理を終了する。すなわち、撮影補助アプリを終了させる。
【０１６３】
〔サーバシステムの動作説明〕
次に、サーバシステム１１００の動作について説明する。
図２０は、サーバシステム１１００における撮影動作管理処理の流れを説明するためのフローチャートである。
同処理において、サーバシステム１１００のサーバ処理部２００ｓは、撮影印刷装置１３００から画像保存リクエストを受信すると（ステップＳ４００のＹＥＳ）、それとともに受信した各種データに基づいて撮影画像データベース６００に新たな撮影画像データセット６０２を生成・保存する（ステップＳ４０２：図１２参照）。本実施形態では、画像保存リクエストとともにデコード情報５１４（図１０参照）を受信するので、当該デコード情報から、アプリＩＤ６１４を抽出することができる。
【０１６４】
次に、画像保存リクエストとともに受信したデータ内にアプリＩＤが含まれている場合、より具体的には本実施形態ではデコード情報５１４（図１０参照）が含まれている場合には（ステップＳ４０４のＹＥＳ）、通知システムサーバ１６００へ接続して所定の通知実行リクエストとともに、アプリＩＤ６１４と、アクセス情報６１８とを送信する（ステップＳ４０６）。
【０１６５】
次に、サーバ処理部２００ｓは、撮影画像データ配信用ウェブサイトにユーザ端末１５００のアクセスを検出すると（ステップＳ４１０のＹＥＳ）、ユーザ端末１５００からのアクセス情報の入力を受け付ける（ステップＳ４１２）。例えば、サイトページにてアクセス情報の入力欄を表示する。ユーザ端末１５００には、プッシュ通知あるいは電子メールによりアクセス情報５５４、５６４（図１１参照）が記憶されているので、ユーザがアクセス情報を入力欄に入力すると、当該アクセス情報がサーバシステム１１００に送信される。
【０１６６】
そして、受け付けたアクセス情報に対応する撮影画像データセット６０２があれば、アクセス情報を認証キーとして正常に認証したとみなし、該当する撮影画像データセット６０２に含まれる撮影画像データ、すなわちオリジナル撮影画像データ６２０と編集画像データ６２２のデータの配信を行う（ステップＳ４１６）。なお、配信する画像データの数に適宜上限を設けることもできる。その場合、ユーザ端末１５００にてダウンロードする画像の選択画面を表示させ、選択された画像データを選択的に配信する構成とすればよい。
【０１６７】
以上、本実施形態によれば、通信が安定確保できない場合や印刷不能な場合であっても運用を継続することができる撮影印刷装置１３００を提供することができる。
【０１６８】
なお、本発明の形態は上記に限定されるものではなく適宜構成要素の追加・省略・変更を施すことができる。
【０１６９】
例えば、上記実施形態では通知システムサーバ１６００への通知依頼を、サーバシステム１１００が実行する構成となっているが、撮影印刷装置１３００が実行する構成としてもよい。この場合、通知依頼制御部２５６（図１２参照）を処理部２００（図１０参照）が備えることとし、アクセス情報の生成（ステップＳ８６：図１５参照）の後に、通知の依頼を実行する構成とすればよい。
【０１７０】
また、上記実施形態ではアクセス情報を撮影印刷装置１３００にて生成する構成としたが、サーバシステム１１００やユーザ端末１５００が生成するとしてもよい。その場合、サーバシステム１１００やユーザ端末１５００に、アクセス情報の生成機能部を持たせる。そして、ステップＳ８６では、撮影印刷装置１３００からサーバシステム１１００又はユーザ端末１５００にアクセス情報の提供リクエストを送信し、サーバシステム１１００又はユーザ端末１５００が、当該リクエストを受信するとアクセス情報を生成して撮影印刷装置１３００へ返信する構成とすればよい。
【符号の説明】
【０１７１】
２…ユーザ
４…コイン
８…被印刷媒体
９…通信回線
１０…印刷有りコース選択操作アイコン
１２…印刷無しコース選択操作アイコン
１６…終了指示コード
３０…アクセス情報
４０…撮影画像データ
４２…アクセス情報
４４…デコード情報
４６…アプリＩＤ
１００…操作入力部
１０２…撮影部
１０４…コイン投入部
２００…処理部
２０１…アカウント管理部
２０２…アプリＩＤ受付制御部
２０４…伝送先情報受付制御部
２０６…伝送先情報受付抑止部
２０８…印刷選択受付制御部
２０９…印刷支障時制御部
２１０…看做し印刷希望受付部
２１２…通信不通時制御部
２１４…アクセス情報取得部
２１６…アクセス情報表示制御部
２１８…画像編集部
２２０…伝送制御部
２２２…印刷制御部
２３０…コード生成部
２３２…コード表示制御部
２３４…通知受信制御部
２５０…撮影画像管理部
２５２…画像データ受信制御部
２５４…画像データ記憶管理部
２５６…通知依頼制御部
２５８…画像データ配信制御部
３６０…印刷部
５００…記憶部
５０１…制御プログラム
５０３…撮影補助アプリ
５０８…管理プログラム
５１０…コイン投入数
５１２…印刷設定フラグ
５１４…デコード情報
５１６…受付済伝送先情報
５１８…アクセス情報
５２０…オリジナル撮影画像データ
５２２…編集画像データ
５２４…印刷対象画像ＩＤ
５２６…印刷画像データ
５２８…システムチェック結果
５４０…アプリＩＤ
５４６…２次元コード
５５０…プッシュ通知データ
５５２…アプリＩＤ
５９０…ユーザ登録用ウェブサイトデータ
５９４…撮影画像データ配信用ウェブサイトデータ
６００…撮影画像データベース
６０２…撮影画像データセット
６１４…アプリＩＤ
６１６…伝送先情報
６１８…アクセス情報
６２０…オリジナル撮影画像データ
６２２…編集画像データ
１１００…サーバシステム
１１５０…制御基板
１１５２…ＩＣメモリ
１１５３…通信装置
１３００…撮影印刷装置
１３０２…コイン投入装置
１３０６…タッチパネル
１３０８…カメラ部
１３５０…制御基板
１３５３…無線通信モジュール
１３６０…印刷装置
１５００…ユーザ端末
１５０６…タッチパネル
１５０８…カメラ部
１５５０…制御基板
１６００…通知システムサーバ
Ｗ１０…第１の通知アドレス提供手順案内画面
Ｗ１２…第２の通知アドレス提供手順案内画面
Ｗ１６…第３の通知アドレス提供手順案内画面
Ｗ１８…アクセス情報提示画面
【図１】
2015142298.tif 000003
【図２】
2015142298.tif 000004
【図３】
2015142298.tif 000005
【図４】
2015142298.tif 000006
【図５】
2015142298.tif 000007
【図６】
2015142298.tif 000008
【図７】
2015142298.tif 000009
【図８】
2015142298.tif 000010
【図９】
2015142298.tif 000011
【図１０】
2015142298.tif 000012
【図１１】
2015142298.tif 000013
【図１２】
2015142298.tif 000014
【図１３】
2015142298.tif 000015
【図１４】
2015142298.tif 000016
【図１５】
2015142298.tif 000017
【図１６】
2015142298.tif 000018
【図１７】
2015142298.tif 000019
【図１８】
2015142298.tif 000020
【図１９】
2015142298.tif 000021
【図２０】
2015142298.tif 000022